(57)【要約】【課題】蒸発器の着霜を防止する加熱手段を循環風路に設けても、循環風路内の空気の流れを妨げることがなく、衣類乾燥の効率低下を抑えることができる衣類乾燥機を提供する。【解決手段】  排気口１６と給気口１７を有する乾燥室１２と、乾燥室１２外に設けられ排気口１６と給気口１７とを繋ぐ循環風路３０と、循環風路３０を通して乾燥室１２内に空気を循環させる送風機４１と、循環風路３０内の空気を加熱する凝縮器３７及び循環風路３０内の空気を冷却し除湿する蒸発器３６を備えたヒートポンプ４０と、循環風路３０内において排気口１６と蒸発器３６との間の空気を加熱する加熱装置８０と、設置雰囲気の温度を検出する外気温センサ５７と、加熱装置８０を制御する制御装置２３と、を備え、加熱装置８０は、排気口１６と蒸発器３６との間において循環風路３０内に向いた面を被覆する発熱被膜８２と、発熱被膜８２に電圧を印加する電源部８４とを備える。【選択図】        図３
2016097249.tif 000002
【特許請求の範囲】
【請求項１】
排気口と給気口を有する乾燥室と、
前記乾燥室外に設けられ前記排気口と前記給気口とを繋ぐ循環風路と、
前記循環風路を通して前記乾燥室内に空気を循環させる送風機と、
前記循環風路内の空気を加熱する凝縮器と、前記循環風路内の空気を冷却し除湿する蒸発器と、冷媒を圧縮して前記凝縮器に供給する圧縮機と、前記凝縮器を通った冷媒を減圧する減圧装置とを備えたヒートポンプと、
前記循環風路内において前記排気口と前記蒸発器との間の空気を加熱する加熱装置と、
設置雰囲気の温度を検出する外気温センサと、
前記ヒートポンプの起動時に前記外気温センサで検出された設置雰囲気の温度が所定温度より低いと前記加熱装置を発熱させる制御装置と、を備え、
前記加熱装置は、前記排気口と前記蒸発器との間において前記循環風路内に向いた面を被覆する発熱被膜と、前記発熱被膜に電圧を印加する電源部とを備える衣類乾燥機。
【請求項２】
前記発熱被膜が、前記循環風路の内壁面を被覆する請求項１に記載の衣類乾燥機。
【請求項３】
前記循環風路は、上下方向に延びる接続ダクトと、前記接続ダクトの下流側から水平方向に延び内部に前記蒸発器及び前記凝縮器が配設された熱交換ダクトと、前記接続ダクトの空気を前記熱交換ダクトへ案内する風向板とを備え、
前記発熱被膜が、前記風向板の表面を被覆する請求項１に記載の衣類乾燥機。
【請求項４】
前記蒸発器は、内部に冷媒が流れる冷媒パイプと、前記冷媒パイプに取り付けられたフィンとを備え、
前記発熱被膜が、前記フィンの表面を被覆する請求項１に記載の衣類乾燥機。
【請求項５】
前記蒸発器の温度を検出する蒸発器温度センサを備え、
前記制御装置は、前記蒸発器温度センサの検出温度が所定温度以上になると前記加熱装置の発熱を停止する請求項１〜４のいずれか１項に記載の衣類乾燥機。
【請求項６】
前記循環風路内において前記蒸発器と前記排気口との間の空気の温度を検出する排気口温度センサを備え、
前記制御装置は、前記外気温センサと前記排気口温度センサとで検出された検出温度の差に基づいて前記電源部が前記発熱被膜に印加する電圧を設定する請求項１〜５のいずれか１項に記載の衣類乾燥機。
【請求項７】
前記蒸発器の温度を検出する蒸発器温度センサを備え、
前記制御装置は、前記ヒートポンプの起動後に前記蒸発器温度センサの検出温度が所定温度以下になると前記加熱装置を発熱させる請求項１〜６のいずれか１項に記載の衣類乾燥機。
【発明の詳細な説明】
【技術分野】
【０００１】
本実施形態は衣類乾燥機に関する。
【背景技術】
【０００２】
従来より、衣類乾燥機において、洗濯物等の衣類の乾燥用にヒートポンプを備えたものは、加熱用ヒータを備えたものに比べて乾燥効率が良く、省エネルギーの効果があるとして注目されている。
【０００３】
ヒートポンプを備えた衣類乾燥機では、衣類を収容する乾燥室内に連通する循環風路を設け、この循環風路内に、乾燥室内の空気を循環風路を通して循環させるための送風機と、ヒートポンプの蒸発器及び凝縮器を配設している。
【０００４】
ヒートポンプは、冷媒を圧縮して吐出する圧縮機と、圧縮機から吐出された高温高圧のガス冷媒を放熱させて液化させるための凝縮器と、凝縮器を通った冷媒を減圧する減圧装置と、液化した冷媒を気化させる蒸発器とを配管によって順次接続して構成しており、圧縮機を駆動させることにより、冷媒を循環させるようになっている。
【０００５】
そして、凝縮器で放出された熱により加熱された循環風路内の空気を乾燥室内に送り込み、そして衣類から水分を奪った空気を循環風路内の蒸発器において冷却することにより除湿し、除湿した空気を再び凝縮器で加熱して乾燥室に供給するということを繰り返すことにより、衣類を乾燥させるようにしている。
【０００６】
ところで、上記のような衣類乾燥機では、冬場のように設置雰囲気の温度が低い場合、ヒートポンプの運転開始直後に循環風路内を流れる空気の温度が低いため、冷媒の気化熱により蒸発器の温度が０℃以下となって蒸発器に結露した水分が凍結する、いわゆる着霜が生じることがある。蒸発器に着霜が生じると、霜が蒸発器を通過する空気の抵抗となり循環風路を流れる風量が低下するため、乾燥性能が低下するとともに、凝縮器で加熱された空気が蒸発器に充分に供給されず蒸発器の着霜が進行して乾燥性能が一層低下することがある。
【０００７】
これに対して、下記特許文献１では、設置雰囲気の温度を検出する手段が所定値以下の温度を検出したときに、加熱手段への通電を行い乾燥室内へ循環させる空気の温度を上昇させることで蒸発器の着霜を防止することが提案されている。しかし、加熱手段が、循環風路内に配設されたヒータ等の発熱素子で構成されており循環風路内の空気の流れを妨げるため、衣類乾燥の効率が低下する問題がある。
【先行技術文献】
【特許文献】
【０００８】
【特許文献１】特開２００９−１９５３６３号公報
【発明の概要】
【発明が解決しようとする課題】
【０００９】
本発明は、上記問題を考慮してなされたものであり、蒸発器の着霜を防止する加熱手段を循環風路に設けても、循環風路内の空気の流れを妨げることがなく、衣類乾燥の効率低下を抑えることができる衣類乾燥機を提供することを目的とする。
【課題を解決するための手段】
【００１０】
本実施形態の衣類乾燥機は、排気口と給気口を有する乾燥室と、前記乾燥室外に設けられ前記排気口と前記給気口とを繋ぐ循環風路と、前記循環風路を通して前記乾燥室内に空気を循環させる送風機と、前記循環風路内の空気を加熱する凝縮器と、前記循環風路内の空気を冷却し除湿する蒸発器と、冷媒を圧縮して前記凝縮器に供給する圧縮機と、前記凝縮器を通った冷媒を減圧する減圧装置とを備えたヒートポンプと、前記循環風路内において前記排気口と前記蒸発器との間の空気を加熱する加熱手段と、設置雰囲気の温度を検出する外気温センサと、前記ヒートポンプの起動時に前記外気温センサで検出された設置雰囲気の温度が所定温度より低いと前記加熱手段を発熱させる制御装置と、を備え、前記加熱手段は、前記排気口と前記蒸発器との間において前記循環風路内に向いた面を被覆する発熱被膜と、前記発熱被膜に電圧を印加する電源部とを備える。
【図面の簡単な説明】
【００１１】
【図１】第一実施形態にかかる衣類乾燥機の概略構成について部分的に破断して示す縦断側面図である。
【図２】同衣類乾燥機の概略構成について部分的に破断して示す縦断背面図である。
【図３】ヒートポンプユニットによる冷凍サイクルの概略構成を示す図である。
【図４】図２のＡ−Ａ断面図である。
【図５】図２のＢ−Ｂ断面図である。
【図６】同衣類乾燥機の制御構成を示すブロック図である。
【図７】冷凍サイクルの立ち上がりが異常であった場合の各温度を示す図である。
【図８】冷凍サイクルの立ち上がりが正常であった場合の各温度を示す図である。
【図９】制御装置による乾燥運転の制御内容を示すフローチャートである。
【図１０】第２実施形態において加熱装置の印加電圧を表したテーブルである。
【発明を実施するための形態】
【００１２】
（第１実施形態）
以下、本発明の第１実施形態について、図面を参照して説明する。
【００１３】
本実施形態の衣類乾燥機は、図１及び図２に示すような洗濯機と衣類乾燥機とを兼ねた洗濯乾燥機に関するものであって、外箱１１、水槽１２、回転ドラム１３、モータ１４、および扉１５を備えている。なお、本実施形態において、外箱１１に対して扉１５側を洗濯乾燥機１０の前側とする。
【００１４】
洗濯乾燥機１０は、ヒートポンプ方式の乾燥機能を有し、回転ドラム１３の回転軸が水平面に対して前上がりに傾斜したいわゆるドラム式洗濯乾燥機である。外箱１１の前面部１１ａには円形の開口部からなる洗濯物出入口１１２が形成され扉１５により開閉される。
【００１５】
外箱１１内には、前面が開口し後面が閉塞されたほぼ円筒状の水槽１２が配設されている。この水槽１２は、前面の開口部１２１が洗濯物出入口１１２に連通するように、水槽１２の軸方向が前後方向の横軸状態であって後下がりにやや傾斜した状態で弾性支持機構を介して外箱１１の台板１１ｂ上に支持されている。
【００１６】
水槽１２は、給水弁２７を介して水槽１２の上部に設けられた給水口より水道水等の水が給水ホース２８を介して機外から供給され、水槽１２の底部下端に設けられた排水口１２３より排水弁１９及び排水ホース２０を介して水槽１２内の水を機外へ排水できるように構成されている。また、水槽１２は、前面の開口部１２１や給水口や排水口１２３以外に、前部の上面に排気口１６と、後部の背面の上部に給気口１７が設けられている。
【００１７】
水槽１２内には、前面が開口し後面が閉塞された円筒状の回転ドラム１３が回転可能に配設されている。回転ドラム１３は、その軸方向が前後方向の横軸状態であって後下がりにやや傾斜した状態で水槽１２内に配設されている。回転ドラム１３の周壁には通水及び通風が可能な孔２１が多数形成されており、この孔２１によって回転ドラム１３の内部が水槽１２と連通している。回転ドラム１３の前面開口部１３１も洗濯物出入口１１２に連通しており、回転ドラム１３は洗濯物出入口１１２から投入される洗濯物を収容する。回転ドラム１３は、水槽１２の背面に設けられたモータ１４により回転駆動される。
【００１８】
このような構成の回転ドラム１３は、洗い行程時には洗濯槽として、脱水行程時には脱水槽として、さらに乾燥運転時には乾燥槽（乾燥室）として機能する。
【００１９】
図２及び図３に示すように、水槽１２に設けられた排気口１６及び給気口１７には、排気ダクト３１、フィルタ装置３２、接続ダクト３３、熱交換ダクト３４、および給気ダクト３５から構成される循環風路３０が連通接続されており、循環風路３０を通して水槽１２及び回転ドラム１３（乾燥室）内の空気を循環可能としている。
【００２０】
排気ダクト３１は、図１に示すように、例えば蛇腹状のホースで構成され、水槽１２の排気口１６とフィルタ装置３２とを接続している。フィルタ装置３２は、外箱１１の内側上部にあって、水槽１２および回転ドラム１３の上方に設けられている。フィルタ装置３２は、内部に設けられたフィルタ３２１によって排気口１６から排気された空気に含まれるリントなどの異物を取り除き、異物を取り除いた空気を接続ダクト３３へ供給する。
【００２１】
接続ダクト３３は、外箱１１の内側上部に配置されたフィルタ装置３２と外箱１１の内側下部に配置された熱交換ダクト３４とを接続する上下方向に延びるダクトである。接続ダクト３３の下端部、つまり、熱交換ダクト３４との接続部分には、台板１１ｂより上方に隆起する圧縮機カバー４２がダクト内部へ突出している。圧縮機カバー４２は台板１１ｂとの間に圧縮機３８を収納する空間を区画する。
【００２２】
図２〜図５に示すように、圧縮機カバー４２において熱交換ダクト３４に向いた面には、接続ダクト３３から圧縮機カバー４２に向けて吹き出した空気を熱交換ダクト３４へ案内する風向板４２ａが設けられている。
【００２３】
熱交換ダクト３４は、水槽１２の下方に位置する台板１１ｂ上に載置されており、接続ダクト３３の下端部より水平方向に延びるダクトである。この熱交換ダクト３４の内部には、蒸発器３６と、蒸発器３６から熱交換ダクト３４の下流側へ離間して配置された凝縮器３７と、循環風路３０を通じて水槽１２内の空気を循環供給する送風機４１とが配設されている。
【００２４】
蒸発器３６及び凝縮器３７は、図４に示すように、銅などの熱伝導率の高い材質からなる蛇行状に形成された冷媒パイプ３６ａ、３７ａと、冷媒パイプ３６ａ、３７ａに所定ピッチで多数並べて取り付けられたフィン３６ｂ，３７ｂとを備えるフィンチューブ形の熱交換器であり、循環風路３０内を流れる空気が、熱交換ダクト３４において蒸発器３６及び凝縮器３７のフィン３６ｂ，３７ｂに間を流通する。
【００２５】
蒸発器３６及び凝縮器３７は、図３に示すように、凝縮器３７に供給する冷媒を圧縮する圧縮機３８、凝縮器３７から吐出された冷媒を減圧するキャピラリーチューブからなる減圧装置３９とともにヒートポンプ４０を構成する。
【００２６】
ヒートポンプ４０は、接続パイプによって圧縮機３８、凝縮器３７、減圧装置３９、蒸発器３６の順にこれらを接続して冷凍サイクルを構成しており、圧縮機３８の作動により冷媒が循環することで、蒸発器３６は熱交換ダクト３４内を流れる空気を冷却除湿し、凝縮器３７は蒸発器３６で除湿された空気を加熱する。なお、圧縮機３８と減圧装置３９は、熱交換ダクト３４の外部に配設されている。
【００２７】
圧縮機３８は、詳細には図示しないが、圧縮機構部とモータ部とを備え、制御装置２３のインバータ制御によって圧縮機３８の駆動回転数が変化可能に構成されている。制御装置２３は、圧縮機３８の駆動回転数を変化させることで、圧縮機３８から吐出される冷媒の供給圧力を変化させ、これにより凝縮器３７の加熱能力および蒸発器３６の冷却能力を変化させる。
減圧装置３９は、この例ではキャピラリーチューブからなり、凝縮器３７から出た高圧で液状の冷媒を、減圧して低圧の気液混合状態にする。なお、本実施形態では、減圧装置３９としてキャピラリーチューブを用いるが、キャピラリーチューブに換えて流量制御弁を用いてもよい。
【００２８】
熱交換ダクト３４の下流側は、給気ダクト３５を介して水槽１２の給気口１７に接続されており、熱交換ダクト３４と給気ダクト３５との接続部分に送風機４１が設けられている。送風機４１は、例えばシロッコファンなどで構成され、制御装置２３の制御によって回転数が変更可能に構成されている。送風機４１は、熱交換ダクト３４内の空気を吸い込み、給気ダクト３５側へ吐出することで、図１〜図４において矢印で示すように、水槽１２および循環風路３０を循環する空気の流れが生じる。
【００２９】
循環風路３０には、排気口１６と蒸発器３６の間の空気を加熱する加熱装置８０が設けられている。加熱装置８０は、図３及び図５に示すように、排気口１６と蒸発器３６との間において循環風路３０内に向いた面、この例では、接続ダクト３３の内壁面３３ａを被覆する発熱被膜８２と、発熱被膜８２に電圧を印加する電源部８４とを備える。
【００３０】
発熱被膜８２は、例えば、Ｎｉ−Ｃｒ（ニッケル−クロム）合金や、Ｍｏ（モリブデン）などの発熱体からなる被膜であり、接続ダクト３３の内壁面３３ａに設けられた一対の印加電極８４ａを覆うように接続ダクト３３の内壁面３３ａを被覆している。
【００３１】
一対の印加電極８４ａは、接続ダクト３３の内壁面３３ａをリング状に覆う導電性の金属膜からなり、接続ダクト３３の軸方向に間隔をあけて設けられている。一対の印加電極８４ａは、電源発生部８４ｂとともに電源部８４を構成し、接続ダクト３３の壁面を貫通して循環風路３０の外側へ引き出されたリード線８６を介して電源発生部８４ｂに接続されている。電源発生部８４ｂは、制御装置２３によって一対の印加電極８４ａから発熱被膜８２に印加する電圧が制御され、これにより、加熱装置８０の発熱量が制御される。
【００３２】
また、循環風路３０の内部には、給気口温度センサ５１、排気口温度センサ５２等の各種センサが配設されている。
【００３３】
給気口温度センサ５１は、循環風路３０内において凝縮器３７と給気口１７との間に設けられており、循環風路３０内における凝縮器３７と給気口１７との間の空気の温度を検出する。この例では、給気口温度センサ５１は、給気ダクト３５内にあって給気口１７の近傍に設けられている。そして、給気口温度センサ５１は、給気ダクト３５を通って乾燥室である水槽１２および回転ドラム１３内へ供給される空気、つまり熱交換ダクト３４内で熱せられて乾燥室内へ供給される空気の温度を検出する。
【００３４】
排気口温度センサ５２は、循環風路３０内において蒸発器３６と排気口１６との間に設けられており、循環風路３０内における蒸発器３６と排気口１６との間の空気の温度を検出する。この例では、排気口温度センサ５２は、排気ダクト３１内にあって排気口１６の近傍に設けられている。そして、排気口温度センサ５２は、乾燥室である水槽１２および回転ドラム１３から排気されて排気ダクト３１内を通る空気の温度を検出する。
【００３５】
また、ヒートポンプ４０には、圧縮機３８から吐出される冷媒の温度を検出する圧縮機吐出側温度センサ５３と、凝縮器３７の温度を検知する凝縮器温度センサ５４と、蒸発器３６の冷媒入口付近の温度を検出する蒸発器入口温度センサ５５と、蒸発器３６の冷媒出口付近の温度を検出する蒸発器出口温度センサ５６が設けられている。外箱１１の内部には、洗濯乾燥機の設置雰囲気の温度（外気温）を検出する外気温センサ５７が設けられている。
【００３６】
本実施形態の洗濯乾燥機１０には、マイクロコンピュータとメモリを備え洗濯乾燥機の運転全般を制御する制御装置２３が設けられている。この制御装置２３は、図６に示すように、外箱１１の前面部１１ａ上部に設けられた操作パネル２４から出力される操作信号や、給気口温度センサ５１、排気口温度センサ５２、圧縮機吐出側温度センサ５３、凝縮器温度センサ５４、蒸発器入口温度センサ５５、及び蒸発器出口温度センサ５６、外気温センサ５７等の各センサで検出した各種検出信号が入力され、これらの各種信号とあらかじめメモリに記憶した制御プログラムに基づいて、操作パネル２４、モータ１４、給水弁２７、排水弁１９、送風機４１、圧縮機３８、及び加熱装置８０の動作を制御する。
【００３７】
次に、上記構成の洗濯乾燥機１０の動作の一例を説明する。
【００３８】
まず、洗濯乾燥機１０の概略的な動作について説明する。使用者により操作パネル２４の操作ボタンが操作されて運転のコースが設定され、運転開始が指示されると、洗濯乾燥機は、設定された運転のコースに応じた洗濯運転、乾燥運転、或いはその両運転を続けて行う洗濯乾燥運転を実行する。その１つとして、洗濯乾燥運転の実行が開始された場合には、洗濯行程、脱水行程、乾燥行程を順に実行する。
【００３９】
洗濯行程では、給水弁２７を開放させることにより水槽１２内に洗濯水を供給した後、回転ドラム１３を低速で回転させる動作が行われる。脱水行程では、排水弁１９を開放させて水槽１２内の水を排出した後、回転ドラム１３を高速で回転させる動作が行われる。
【００４０】
乾燥行程では、制御装置２３が、モータ１４を作動させ、洗い、すすぎ後の湿った衣類が収容された回転ドラム１３を低速で正逆両方向に回転させつつ、熱交換ダクト３４において蒸発器３６及び凝縮器３７で除湿された加熱空気を回転ドラム１３内に供給する動作が行われる。
【００４１】
回転ドラム１３内に除湿された加熱空気を供給する動作は、送風機４１を駆動させつつヒートポンプ４０を動作させることで行われるが、洗濯乾燥機１０の設置雰囲気の温度が低い場合に圧縮機３８を起動すると、図７に示すように、蒸発器入口側温度及び蒸発器出口側温度が急速に低下して蒸発器３６に着霜が生じ、その結果、給気口温度センサ５１で検出される給気口１７から水槽１２に供給される空気の温度が十分に上がらなくなる。
【００４２】
そこで、制御装置２３は、圧縮機３８の動作を開始してヒートポンプ４０を起動する際に、外気温センサ５７で洗濯乾燥機の設置雰囲気の温度を検出し、検出された温度に応じて加熱装置８０を制御する。
【００４３】
すなわち、図９に示すように、制御装置２３は、圧縮機３８の起動前に外気温センサ５７で検出される洗濯乾燥機の設置雰囲気の温度Ｔｒが所定温度Ｔ１（例えば２０℃）以下であるか否か判断する（ステップＳ１）。
【００４４】
外気温センサ５７の検出温度Ｔｒが所定温度Ｔ１以下であれば、制御装置２３は、電源発生部８４ｂを制御することで、リード線８６を介して一対の印加電極８４ａから発熱被膜８２に電圧を印加して発熱被膜８２を発熱させ、加熱装置８０を動作させ（ステップＳ２）、その後、圧縮機３８を起動する（ステップＳ３）。一方、外気温センサ５７の検出温度Ｔｒが所定温度Ｔ１より高ければ、制御装置２３は、圧縮機３８の起動後に蒸発器３６に着霜が生じるおそれがないとして、加熱装置８０を動作させることなく圧縮機３８を起動する（ステップＳ３）。
【００４５】
圧縮機３８を起動すると、制御装置２３は、蒸発器出口温度センサ５６によって蒸発器３６の冷媒出口付近の温度を検出し、その検出温度Ｔｏが所定温度Ｔ２（例えば５℃）以下であれば（ステップＳ４のＹｅｓ）、発熱被膜８２を発熱させた状態を維持しつつ圧縮機３８を動作させる（ステップＳ５）。一方、蒸発器出口温度センサ５６によって検出された蒸発器３６の冷媒出口付近の温度Ｔｏが所定温度Ｔ２より高ければ（ステップＳ４のＮｏ）、蒸発器３６に着霜が生じるおそれがないとして、制御装置２３は、発熱被膜８２に対する電圧印加を停止して加熱装置８０を停止する（ステップＳ６）。
【００４６】
そして、制御装置２３は、ステップＳ７において給気口温度センサ５１による検出温度と排気口温度センサ５２による検出温度との温度差が所定値以内であるなど、所定の乾燥終了条件を満たしているか否か判断し、乾燥終了条件を満たしている場合は乾燥工程を終了し、満たしていない場合は、圧縮機３８を動作させ続け乾燥工程を継続する。
【００４７】
乾燥工程を継続する場合、制御装置２３は、ステップＳ４に戻り、蒸発器出口温度センサ５６によって検出される蒸発器３６の冷媒出口付近の温度Ｔｏが所定温度Ｔ２以下であるか判断する。蒸発器出口温度センサ５６の検出温度Ｔｏが所定温度Ｔ２より高ければ（ステップＳ４のＮｏ）、加熱装置８０を停止させたまま圧縮機３８を動作させ続け（ステップＳ６）、所定温度Ｔ２以下であれば（ステップＳ４のＹｅｓ）、蒸発器３６の温度が低く着霜するおそれがあるとして再び加熱装置８０を動作させつつ圧縮機３８を動作させる（ステップＳ５）。
【００４８】
以上のような本実施形態では、ヒートポンプ４０の起動時において、外気温センサ５７で検出された外気温Ｔｒが所定温度より低いと、循環風路３０における排気口１６と蒸発器３６との間の空気を加熱装置８０が加熱するため、洗濯乾燥機１０の設置雰囲気の温度が低い状況であっても蒸発器３６の着霜を防止することができ、循環風路３０を循環する空気量（風量）の低下を防止することができる。そのため、循環風路３０を循環する空気温度が衣類の乾燥に適した温度に早期に到達し、ヒートポンプを速やかに立ち上げることができる。
【００４９】
また、加熱装置８０において循環風路３０内の空気を加熱する発熱被膜８２が、循環風路３０内に向いた面を覆う膜状をなしているため、加熱装置８０が循環風路３０内の空気の流れを妨げて衣類乾燥の効率を低下させることがない。
【００５０】
しかも、発熱被膜８２は、これを設ける面の形状や位置の自由度が高いため、加熱装置８０を循環風路３０内に配置させやすい。
【００５１】
本実施形態では、接続ダクト３３の内壁面３３ａを被覆する発熱被膜８２が、循環風路３０内の空気を加熱するため、加熱装置８０における発熱部位を広範囲に設けることができる。そのため、発熱被膜８２の発熱温度を高い温度に設定しなくても、循環風路３０内の空気を加熱することができる。
【００５２】
本実施形態では、圧縮機３８の起動後、蒸発器３６の冷媒出口付近の温度が所定温度Ｔ２より高い場合に加熱装置８０の発熱を停止するため、ヒートポンプ４０が正常に起動し排気口１６と蒸発器３６との間の空気の加熱が不要になると、加熱装置８０が停止して消費電力量を抑えることができるとともに、蒸発器３６に供給される空気温度が過度に高くなって蒸発器３６の除湿性能が低下するのを抑えることができる。
【００５３】
本実施形態では、圧縮機３８の起動後に、蒸発器３６の冷媒出口付近の温度が所定温度Ｔ２以下になると、制御装置２３は加熱装置８０を動作させて循環風路３０における排気口１６と蒸発器３６との間の空気を加熱するため、乾燥工程を開始してから蒸発器３６に着霜しやすい状況となっても、蒸発器３６の着霜を防止することができ、循環風路３０を循環する空気量が低下して乾燥効率が低下するのを防止することができる。
【００５４】
なお、上記した実施形態では、圧縮機３８の起動後に蒸発器３６の冷媒出口付近の温度に基づいて加熱装置８０の動作及び停止を行ったが、蒸発器３６の温度であれば、例えば、蒸発器３６の冷媒入口付近の温度や、蒸発器３６を構成するフィンの温度などに基づいて加熱装置８０の動作及び停止を制御してもよい。
【００５５】
また、上記した第１実施形態では、加熱装置８０を構成する発熱被膜８２を接続ダクト３３の内壁面３３ａに設ける場合について説明したが、発熱被膜８２を設ける位置は接続ダクト３３の内壁面３３ａに限定されず、排気口１６と蒸発器３６との間において循環風路３０内に向いた面であればよく、例えば、圧縮機カバー４２に設けた風向板４２ａの表面や、蒸発器３６を構成するフィン３６ｂの表面などに発熱被膜８２を設けることができる。
【００５６】
風向板４２ａの表面に発熱被膜８２を設けた場合、風向板４２ａは、上下方向に延びる接続ダクト３３から吹き出した空気を水平方向に延びる熱交換ダクト３４へ案内することから、循環風路３０内を流通する空気と接触しやすく効率的に発熱被膜８２の熱を伝えることができるため、少ない配設面積の発熱被膜８２であっても循環風路３０内の空気を加熱することができ、蒸発器３６の着霜を防止することができる。また、蒸発器３６を構成するフィン３６ｂの表面に発熱被膜８２を設けた場合、蒸発器３６を直接加熱することができ、効率的に蒸発器３６の着霜を防止することができる。
【００５７】
（第２実施形態）
次に、本発明の第２実施形態について、図面を参照して説明する。
【００５８】
本実施形態では、加熱装置８０の動作時の発熱量が、外気温センサ５７と排気口温度センサ５２で検出された検出温度の温度差に基づいて変化する。
【００５９】
具体的には、図１０に示すように、排気口温度センサ５２が検出した水槽１２および回転ドラム１３から排気されて排気ダクト３１内を通る空気の温度Ｔｅと、外気温センサ５７が検出した洗濯乾燥機１０の設置雰囲気の温度Ｔｒとの温度差ΔＴ（＝Ｔｅ−Ｔｒ）が、０℃以下の場合、０℃から１５℃までの場合、１５℃から３０℃までの場合に、制御装置２３は、電源発生部８４ｂが発熱被膜８２に印加する電圧を２０Ｖ、１５Ｖ、１０Ｖに設定し、温度差ΔＴが３０℃より大きい場合に発熱被膜８２に印加する電圧を０Ｖに設定して加熱装置８０を停止させる。
【００６０】
水槽１２および回転ドラム１３から排気ダクト３１へ排気される空気の温度Ｔｅが、洗濯乾燥機１０の設置雰囲気の温度Ｔｒより高くなるほど、蒸発器３６を通過する空気の温度が高くなり蒸発器３６で着霜しにくくなるため、本実施形態のように上記ΔＴが大きくなるにつれて電源発生部８４ｂが発熱被膜８２に印加する電圧を小さくすることで、蒸発器３６に供給される空気温度が過度に高くなって蒸発器３６の除湿性能が低下するのを抑えることができる。
【００６１】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６２】
１０…洗濯乾燥機、１１…外箱、１２…水槽、１３…回転ドラム、１６…排気口、１７…給気口、２３…制御装置、３０…循環風路、３１…排気ダクト、３３…接続ダクト、３３ａ…内壁面、３４…熱交換ダクト、３６…蒸発器、３７…凝縮器、３８…圧縮機、３９…減圧装置、４０…ヒートポンプ、４１…送風機、４２…圧縮機カバー、４２ａ…風向板、５７…外気温センサ、８０…加熱装置、８２…発熱被膜、８４…電源部、８４ａ…印加電極、８４ｂ…電源発生部、８６…リード線
【図１】
2016097249.tif 000003
【図２】
2016097249.tif 000004
【図３】
2016097249.tif 000005
【図４】
2016097249.tif 000006
【図５】
2016097249.tif 000007
【図６】
2016097249.tif 000008
【図７】
2016097249.tif 000009
【図８】
2016097249.tif 000010
【図９】
2016097249.tif 000011
【図１０】
2016097249.tif 000012